(57)【要約】      （修正有）【課題】家庭用として気軽に導入することができる投写装置を提供する。【解決手段】画像を投写する投写装置１０であって、星空が表された演出画像を記憶する記憶部５０と、計時部８０の計時情報に基づき回転角度を求め、演出画像を求めた回転角度だけ回転させる処理を行うとともに、位置検出部３６、照度検出部２２とを備え、ユーザのさし示す指定位置の検出、周囲の明るさの検出に基づき演出画像を変化させる画像処理部３４とを含む。【選択図】図１
2010250194.tif 000002
【特許請求の範囲】
【請求項１】
演出画像を投写する投写装置であって、
前記演出画像を記憶する記憶部と、
計時部の計時情報に基づき投写する前記演出画像を変化させる処理を行う画像処理部と、
を含むことを特徴とする投写装置。
【請求項２】
操作情報を入力するための操作部を備え、
前記画像処理部は、前記操作情報に基づき投写する前記演出画像を変化させる処理を行うことを特徴とする請求項１に記載の投写装置。
【請求項３】
投写された前記演出画像を撮像する撮像部と、
前記撮像部にて撮像された前記演出画像から、ユーザーが指し示す指定位置を検出する位置検出部と、を備え、
前記画像処理部は、検出された前記指定位置に関連する付加情報を前記演出画像に付加することを特徴とする請求項１ないし２に記載の投写装置。
【請求項４】
周囲の明るさを検出する照度検出部を備え、
前記画像処理部は、検出された明るさに基づき前記演出画像を変化させる処理を行うことを特徴とする請求項１ないし３のいずれかに記載の投写装置。
【請求項５】
前記演出画像を記憶している情報記憶媒体から前記演出画像を読み取る記憶媒体読み取り部と、
外部インターネットと接続可能なインターフェース部と、
外部装置から供給される入力画像信号を受信する入力画像信号受付部と、のすくなくとも１つを備え、
前記演出画像を前記記憶媒体読み取り部、インターフェース部もしくは前記入力画像信号受付部の少なくとも１つから受け取り、前記記憶部に記憶させることを特徴とする請求項１ないし４のいずれかに記載の投写装置。
【発明の詳細な説明】
【技術分野】
【０００１】
本発明は、投写装置に関する。
【背景技術】
【０００２】
従来から、投写装置を用いてドームスクリーンに星の映像を投影するプラネタリウムシステムが知られている。（例えば、特許文献１）。しかしながら当該システムはプラネタリウム専用システムであり、家庭内で気軽に楽しむことのできるシステムではない。また、家庭用投写装置も普及しつつあるが、ＤＶＤやＰＣ等の映像を投写する以外の使い方の提案がなかった。
【先行技術文献】
【特許文献】
【０００３】
【特許文献１】特開２００８−２２５２９４号公報
【発明の概要】
【発明が解決しようとする課題】
【０００４】
本発明は、以上のような課題に鑑みてなされたものであり、家庭用として気軽に導入することができる投写装置を提供することにある。
【課題を解決するための手段】
【０００５】
（１）本発明は、演出画像を投写する投写装置であって、前記演出画像を記憶する記憶部と、計時部の計時情報に基づき投写する前記演出画像を変化させる処理を行う画像処理部とを含むことを特徴とする。
【０００６】
本発明によれば、時間によって変化する演出画像を投写する投写装置を提供することができる。
【０００７】
（２）また本発明に係る投写装置は、操作情報を入力するための操作部を備え、前記画像処理部は、前記操作情報に基づき投写する前記演出画像を変化させる処理を行うようにしてもよい。
【０００８】
本発明によれば、ユーザーによって入力された操作情報により変化する演出画像を投写する投写装置を提供することができる。
【０００９】
（３）また本発明に係る投写装置は、投写された前記演出画像を撮像する撮像部と、前記撮像部にて撮像された前記演出画像から、ユーザーが指し示す指定位置を検出する位置検出部とを備え、前記画像処理部は、検出された前記指定位置に関連する付加情報を前記演出画像に付加するようにしてもよい。
【００１０】
本発明によれば、ユーザーによって指定された位置に関連する付加情報が付加された演出画像を投写する投写装置を提供することができる。
【００１１】
（４）また本発明に係る投写装置は、周囲の明るさを検出する照度検出部を備え、前記画像処理部は、検出された明るさに基づき前記演出画像を変化させる処理を行うようにしてもよい。
【００１２】
本発明によれば、周囲の明るさにより変化する演出画像を投写する投写装置を提供することができる。
【００１３】
（５）また本発明に係る投写装置は、前記演出画像を記憶している情報記憶媒体から前記演出画像を読み取る記憶媒体読み取り部と、外部インターネットと接続可能なインターフェース部と、外部装置から供給される入力画像信号を受信する入力画像信号受付部と、のすくなくとも１つを備え、前記演出画像を前記記憶媒体読み取り部、インターフェース部もしくは前記入力画像信号受付部の少なくとも１つから受け取り、前記記憶部に記憶させるようにしてもよい。
【図面の簡単な説明】
【００１４】
【図１】本実施形態の投写装置の機能ブロック図。
【図２】演出画像の一例を示す図。
【図３】演出画像の投写について説明するための図。
【図４】付加情報について説明するための図。
【図５】照度に基づく演出画像の変化について説明するための図。
【図６】変形例について説明するための図。
【発明を実施するための形態】
【００１５】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１６】
１．機能ブロック
図１は、本実施形態における投写装置の機能ブロック図の一例である。なお、本実施形態の投写装置は、図１の構成要素（各部）の一部を省略した構成としてもよい。
【００１７】
本実施の形態の投写装置１０は、入力画像信号受付部９０、通信部９４、操作部７０、計時部８０、記憶部５０、撮像部２０、照度検出部２２、制御部３０、投射光学系４０、電源部６０を含む。なお、投写装置１０は、ＤＶＤ等の情報記憶媒体に記憶された画像情報を読み取る記憶媒体読み取り部を含むようにしてもよい。記憶媒体読み取り部は、ＤＶＤプレーヤー等により実現できる。また、記憶媒体読み取り部は、情報記憶媒体に記憶された演出画像や付加情報を読み取るようにしてもよい。
【００１８】
入力画像信号受付部９０は画像信号入力端子、通信装置等で構成され、外部の入力画像供給装置（例えばＤＶＤプレーヤー、ＰＣ）等から供給される入力画像信号９２を受け取る。
【００１９】
通信部９４（インターフェース部）は、インターネット等のネットワークを介して外部の情報処理装置（サーバー等）との間で通信を行うための各種の制御を行うものであり、その機能は、各種プロセッサ又は通信用ＡＳＩＣなどのハードウェアや、プログラムなどにより実現できる。
【００２０】
操作部７０は、ユーザーが操作データ（操作情報）を入力するためのものであり、その機能は、投写装置本体に備わるボタンや投写装置のリモコンに備わるボタン、ポインティングデバイス、タッチパネル等により実現できる。また操作部７０は、投写させる演出画像に関係する日時や地域を指定するための操作情報や、言語設定やタイムゾーンの設定を行うための操作情報を入力する操作情報入力手段として機能するようにしてもよい。
【００２１】
記憶部５０は、制御部３０のワーク領域となるものである。また記憶部５０は、演出画像や付加情報を記憶する。なお、記憶媒体読み取り部、通信部９４及び入力画像信号受付部９０の少なくとも１つから演出画像や付加情報を受け取り、受け取った演出画像や付加情報を記憶部５０に記憶させるようにしてもよい。
【００２２】
撮像部２０は、ＣＣＤイメージセンサ等で構成され、投写された画像を撮像し、画像データを制御部３０に出力する。
【００２３】
照度検出部２２は、投写装置１０の筐体に設けられ、投写装置１０の周囲の明るさ（照度）を検出し、検出信号を制御部３０に出力する。
【００２４】
制御部３０は、投写装置１０の各種処理を行うもので、ＣＰＵやＤＳＰ等のハードウェアと投写装置１０の各種処理を実行するためのプログラム等によって実現してもよい。制御部３０は、表示部４４に表示する画像を制御する表示制御部３２と、位置検出３６を含む。
【００２５】
位置検出部３６は、撮像部２０によって撮像された撮像画像と記憶部５０に記憶された投写画像（演出画像）を用いて、撮像された演出画像上に投射されたユーザーの指定位置を解析する。解析方法は、一般的に知られている画像解析手法を用いることができる。例えば、撮像部２０により撮像された撮像画像から記憶部５０に記憶された投写画像を引くことで画像の変化部分を解析し、指定位置を特定する。
【００２６】
表示制御部３２は、入力画像信号受付部９０からの入力画像信号や、画像処理部３４によって処理された演出画像の画像信号を表示部４４に出力する。表示制御部３２は、画像処理部３４を含む。
【００２７】
画像処理部３４は、計時部８０の計時情報に基づき投写する演出画像を変化させる処理および画像の合成処理を行う。また投写装置１０が計時部８０を備えない場合には、画像処理部３４は、ネットワークを介して外部の情報処理装置（サーバー等）から受信した計時情報に基づき演出画像を変化させる処理を行うようにしてもよい。
【００２８】
また画像処理部３４は、操作部７０からの操作情報に基づき投写する前記演出画像を変化させる処理を行うようにしてもよい。例えば、日時や地域を指定するための操作情報や、言語設定やタイムゾーンの設定を行うための操作情報に基づいて投写する演出画像を変化させる処理を行うようにしてもよい。
【００２９】
また画像処理部３４は、位置検出部３６によって検出された指定位置に関連する付加情報を演出画像に付加する処理を行うようにしてもよい。
【００３０】
また画像処理部３４は、照度検出部３０によって検出された明るさ（照度）に基づき投写する演出画像を変化させる処理を行うようにしてもよい。
【００３１】
投射光学系４０は、ランプユニット等の光源４２、表示部４４と、投射レンズ４６とを備えており、投写装置１０の外部のスクリーン面２１０等に画像の投射表示を行うものであり、表示部４４に表示されている画像をスクリーン２１０に投射する投射部として機能する。
【００３２】
表示部４４は、液晶パネルやライトバルブ、ＤＭＤ（Digital Micromirror device）等で実現され、表示制御部３２によって制御された画像を表示するように構成されている。なお、ＤＭＤは米国テキサス・インスツルメンツ社の商標である。
【００３３】
光源４２は、表示部４４に光を照射するものであって、バラスト部６４で生成された光源駆動電力により点灯動作を行う。表示部４４は、マトリクス状に形成された図示しない複数の画素を備えており、光源４２から射出した光を、表示制御部３２から入力される画像信号３６に基づいて画素毎に変調することによって画像信号に応じた光学像を形成する。表示部４４によって形成された光学像は、投射レンズ４６によってスクリーン面２１０等に投射される。
【００３４】
電源部６０は、ＡＣ１００Ｖ等の商用電源を入力して投写装置１０の各種動作に必要な直流の電源電圧を生成する主電源部６２と、投射光学系４０の光源４２を駆動するバラスト部６４とを含む。
【００３５】
主電源部６２は、商用電源を全波整流によって直流に変換する整流回路と、高調波電流を抑制するとともに力率を改善する力率改善（ＰＦＣ：Power Factor Correction）回路と、力率改善回路の出力をトランス（変圧器）により所定の電圧に変換するＤＣ−ＤＣ変換回路等とを有しており、商用電源から、制御部６０を動作させる動作電力等も生成するようにしてもよい。
【００３６】
バラスト部６４は、トランスの１次側（商用電源側）に備えられた力率改善回路に接続されており、力率改善回路からの出力電圧を降圧させる降圧チョッパと、降圧チョッパによって降圧された直流電流を交流矩形波電流（光源駆動電力）に変換するインバータと、光源ランプの電極間の絶縁破壊を行って、光源ランプの始動を促すためのイグナイタ等とを備えている。
【００３７】
２．本実施形態の手法
図２（Ａ）、図２（Ｂ）は、本実施形態の演出画像の一例を示す図である。
【００３８】
本実施形態では、演出画像ＩＭとして星空を表す画像を投写する。なお、図２（Ａ）、図２（Ｂ）に示す演出画像ＩＭには、星（恒星）と星座線が表されているが、星のみを表すようにしてもよい。
【００３９】
ここで、演出画像ＩＭに表された星空は、現実に見える星空と同様の星空であり、時間の経過に従って変化する。すなわち、本実施形態の画像処理部３４は、現在の日時を計時する計時部８０の計時情報に基づいて、演出画像ＩＭを、北極星ＰＳが表された位置を中心として反時計回りに回転させる処理を行っている。
【００４０】
例えば、所定の基準日時における星空を表す演出画像ＩＭ（基準となる演出画像ＩＭ）を記憶部５０に記憶しておき、現在日時（計時部８０の計時情報）と基準日時とから回転角度θを求め、基準となる演出画像ＩＭを回転角度θだけ回転させる処理を行うことで、現在の星空を表す演出画像ＩＭを生成する。なお、現在の星空を表す演出画像ＩＭを生成した以降は、所定時間毎に所定角度だけ演出画像ＩＭを回転させるようにしてもよい。なお、図２（Ａ）に示す演出画像ＩＭは、１月１日１８：００に見える星空を表す画像であり、図２（Ｂ）に示す演出画像ＩＭは、同日２０：００に見える星空を表す画像である。
【００４１】
また本実施形態では、ユーザーのいる地域を特定し、特定された地域の星空を表す演出画像ＩＭを投写することもできる。この場合は、各地域の基準日時における星空を表す複数の演出画像ＩＭを記憶部５０に予め記憶しておくか、インターネットを経由して各地域の基準日における星空を表す複数の演出画像ＩＭを取得してもよい。そして、特定された地域に対応する演出画像ＩＭを記憶部５０から読み出して、読み出した演出画像ＩＭを現在日時に基づく回転角度で回転させるようにすればよい。ここで、図２（Ａ）、図２（Ｂ）に示す演出画像ＩＭは、東京の北の空に見える星空を表す画像である。なお、ユーザーのいる地域は、ユーザーが入力した言語設定の情報や、タイムゾーンの設定情報に基づき特定することができるため、当該設定情報に基づきインターネット経由にて当該地域の基準日における星空を表す複数の演出画像ＩＭを自動的に取得するほうにすると、ユーザーは演出画像を逐一取得する手間が省けるため、利便性が向上する。
【００４２】
また、星空ばかりでなく、惑星や流星群や彗星等を登場させてもよい。惑星、流星群、彗星等は、演出画像ＩＭに含めて取得してもよいし、別途付加的な演出画像ＩＭ１として取得してもよい。別途付加的な演出画像ＩＭ１として取得する場合は、演出画像ＩＭ（星空の画像）を主演出画像とし、演出画像ＩＭ１（惑星等の画像）を副演出画像とし、それぞれ別々の記憶領域に記憶させる。それは、それぞれの画像の動きが異なるため、画像処理を行いやすくするためである。記憶したそれぞれの演出画像ＩＭおよび演出画像ＩＭ１を画像処理部３４で画像処理し合成する。これにより、特定の時刻に突如出現する流星群なども忠実に再現することができる。
【００４３】
また、日時や地域を指定するための操作情報に基づき投写する演出画像ＩＭを変化させるようにしてもよい。すなわち、ユーザーによって入力された日時及び地域における星空を表す演出画像ＩＭを投写するようにしてもよい。この場合には、ユーザーによって入力された地域に対応する演出画像ＩＭを記憶部５０から読み出して、読み出した演出画像ＩＭを入力された日時に基づく回転角度で回転させるようにすればよい。
【００４４】
また本実施形態では、図３（Ａ）に示すように、投写装置１０の投射レンズ付近にミラーＭＲを設けることにより、星空を表す演出画像を天井ＣＬに投写する。なお、図３（Ｂ）に示すように、回転可能に構成された投射レンズを上方に向けることで、演出画像ＩＭを天井ＣＬに投写するようにしてもよい。また、入力画像を投写する第1の投射レンズとは別に、上方を向く第２の投射レンズを設け、当該第２の投射レンズから演出画像ＩＭを天井ＣＬに投写するようにしてもよい。
【００４５】
このように本実施形態によれば、星空を表す演出画像を天井に投写し、且つ現在日時や地域又は入力された日時や地域に基づき投写する演出画像を変化させるようにすることで、星空を再現するプラネタリウムを、投写装置を利用して家庭内で楽しむことができ、ＤＶＤやＰＣ等の映像を投写する以外の用途をもった投写装置を提供することができる。
【００４６】
また本実施形態では、投写された演出画像におけるユーザーによる指定位置（ユーザーが指し示す指定位置）を検出し、検出された指定位置に関連する付加情報を含む演出画像を生成する。
【００４７】
例えば、ユーザーが把持するポインティングデバイス（レーザポインター）から射出されたレーザー光の照射ポイントの演出画像上での位置を、撮像部２０によって撮像された画像から検出し、検出された位置を含む領域に関連する付加情報を演出画像に重畳させて表示し投写する。
【００４８】
図４に示す例では、投写された演出画像ＩＭ上における照射ポイントの位置が位置ＬＰであるため、位置ＬＰを含む領域ＡＲに関連付けて記憶された星座名を付加情報ＡＩとして演出画像ＩＭ上に重畳させて表示している。すなわち、演出画像ＩＭに表された複数の星座のそれぞれが含まれる領域に関連付けて各星座の星座名を記憶部５０に記憶させている。
【００４９】
このようにすると、ユーザーは、投写された演出画像上の星座をポインティングデバイスを用いて指示することにより、指示した星座の星座名を演出画像上で確認することができる。なお、演出画像上における指示は、操作部７０のボタンを操作して行うようにしてもよいし、マウスなどの他のポインティングデバイスを用いて行うようにしてもよい。また、付加情報として、星座線、星座絵、バイエル符号、星名、星雲、星団、子午線、明るさの等級等を表示するようにしてもよい。
【００５０】
また、本実施形態では、投写装置１０の周囲の明るさ（照度）を照度検出部２２により検出し、検出された照度に基づき演出画像を変化させる処理を行う。
【００５１】
例えば、検出された照度が高い場合には、図２（Ａ）に示すような、多くの星が表された演出画像ＩＭを投写し、検出された照度が低い場合には、図５に示すような、表された星が少ない演出画像ＩＭを投写する。この場合には、暗い星から明るい星まで表された演出画像と、明るい星のみが表された演出画像とを記憶部５０に記憶しておき、検出された照度が所定の閾値未満である場合には、暗い星から明るい星まで表された演出画像ＩＭを投写し、検出された照度が所定の閾値以上である場合には、明るい星のみが表された演出画像ＩＭを投写するようにすればよい。
【００５２】
このようにすると、周囲が暗い場合には暗い星から明るい星まで見ることができ、周囲が明るい場合には明るい星のみが見えるという実際の現象を再現することができる。
【００５３】
なお、演出画像ＩＭの投写は、ＤＶＤ等の入力画像を投写しないミュート時に行うようにしてもよい。また、ユーザーによって演出画像を投写するモードに切り替える操作が行われた場合に演出画像ＩＭの投写を行うようにしてもよい。
【００５４】
３．変形例
なお、本発明の適用は上述した実施例に限定されず、種々の変形が可能である。
【００５５】
例えば、本実施形態では、演出画像のみを投写する場合について説明したが、演出画像とＤＶＤ等の入力画像とを合成して投写するようにしてもよい。例えば、図６に示すように、縮小処理した入力画像ＩＮを演出画像ＩＭに重畳させて投写し、入力画像ＩＮの周囲に演出画像が表示されるようにしてもよい。
【００５６】
また本実施形態では、計時部の計時情報に基づき演出画像を回転処理する場合について説明したが、予め異なる角度で回転処理された複数の演出画像を記憶部に記憶しておき、計時部の計時情報に基づいて、所定時間毎に、記憶された複数の演出画像のうち１の演出画像を選択して投写するようにしてもよい。
【００５７】
また、投写する演出画像は、星空を表す画像に限られず、時間によって変化する画像であればどのようなものでもよい。例えば、月の満ち欠けの画像、太陽の日の出から日の入りの画像、白夜の画像、オーロラの画像等を投写するようにしてもよい。また、気象衛星によって撮像された気象画像を投写するようにしてもよい。この場合には、計時部の計時情報に基づき所定時間毎にネットワークを介して外部のサーバーから気象画像を取得し、取得した気象画像を所定時間毎に投写するようにしてもよい。
【符号の説明】
【００５８】
１０  投写装置、２０  撮像部、２２  照度検出部、３０  制御部、３２  表示制御部、３４  画像処理部、３６  位置検出部、４０  投射光学系、４２  光源、４４  表示部、４６  投射レンズ、５０  記憶部、６０  電源部、６２  主電源部、６４  バラスト部、７０  操作部、８０  計時部、９０  入力画像信号受付部、９４  通信部（インターフェース部）
【図１】
2010250194.tif 000003
【図２】
2010250194.tif 000004
【図３】
2010250194.tif 000005
【図４】
2010250194.tif 000006
【図５】
2010250194.tif 000007
【図６】
2010250194.tif 000008